(57)【要約】【課題】ゴム手袋を使用して水仕事をした時に、ゴム手袋の表面を伝わって流れ落ちる水が袖口に入り込み衣服を濡らしてしまうことがないように、分水機能を持ったフランジ付きゴム手袋を提供する。【解決手段】ゴム手袋（１）の手首後方部に、全周方向の滑らかな膨らみ（２）を設け、その膨らみ（２）の内側に弾性体の形状維持リング（３）を挿入することにより、膨らみ（２）を１０〜１５ミリ程の高さのフランジ（４）に形成することを特徴とする。【選択図】図２
2011063918.tif 000002
【特許請求の範囲】
【請求項１】
（イ）ゴム手袋（１）の手首後方の外周に滑らかな膨らみ（２）を設ける。
（ロ）滑らかな膨らみ（２）に形状維持リング（３）を挿入して、フランジ（４）を設ける。
以上の構成よりなるフランジ付きゴム手袋。
【発明の詳細な説明】
【技術分野】
【０００１】本発明は、ゴム手袋を使用して水仕事をした時に、ゴム手袋の表面を伝わって流れ落ちる水が袖口に入り込み、衣服を濡らしてしまうことがないようにしたフランジ付きゴム手袋に関するものである。
【背景技術】
【０００２】従来、流れ落ちる水滴を受け止めようと、ゴム手袋にひだを設けたものや、ゴム手袋の入口側を折り返し縫製して強化したゴム手袋などがあった。
【先行技術文献】
【特許文献】
【０００３】
【特許文献１】特開平７−４２００４
【特許文献２】実開平６−６５４１７
【特許文献３】特開２００１−３３６００８
【発明の概要】
【発明が解決しようとする課題】
【０００４】特許文献１にあっては、次のような欠点があった。
（イ）ゴム手袋を製造する一般的な方法は、ゴム手袋の型を合成樹脂や天然ゴム等を素材にした液の中に数回浸して、型の表面にゴムの被膜を重ね作りした後、乾燥させ剥がし取る方法であるが、本特許文献のものはひだの立ち上がりが極端な構造であるため同方法での製造が難しい。
（ロ）バンド付きのひだを直接手首に固定するのは容易でなく煩わしい。
特許文献２にあっては、次のような欠点があった。
（イ）ゴム手袋に一体型のひだを設け、復元性のある２枚のひだを作るには、形状が複雑になるので、ひだ部分にゴム素材の液溜まりや液ダレの現象が生じ、均一な厚さの被膜を作ることが難しい。
（ロ）ひだの復元性を得るには、ひだ部の被膜厚さを微妙に変える必要があり技術的に難しく製造コストが高くなる。
特許文献３にあっては、次のような欠点があった。
（イ）ゴム手袋の折り返し部分で水滴を受け止める仕様であり、マイカー洗車などでゴム手袋表面を伝わって流れ落ちてくる大量の水には適さない。
（ロ）ゴム手袋に折り返しを付け、さらに縫製して強化するには製作工程が多くなり製造コストが高くなる。
本発明は、これらの欠点を解決するためになされたものである。
【課題を解決するための手段】
【０００５】本発明は、ゴム手袋（１）の手首後方部に、全周方向の滑らかな膨らみ（２）を持たせ、その膨らみ（２）の内側に弾性体の形状維持リング（３）を挿入することにより、１０〜１５ミリ程の高さのフランジ（４）を形成する。
本発明は、以上の構成を特徴とするフランジ付きゴム手袋である。
【発明の効果】
【０００６】膨らみのあるゴム手袋と形状維持リングを組み合わせた構成にすることで、次の効果がある。
（イ）フランジの形成およびフランジの復元性は、形状維持リングが担う構造であることから、ゴム手袋のフランジにあたる部分は、滑らかな膨らみで良くゴム手袋を製造するときの型の形状が簡単となる。
（ロ）ゴム手袋の型の形状が簡単であることから、ゴム手袋を製造する従来の一般的な方法でゴム手袋を製造することができるため製造コストが安い。
結果として、本発明のフランジ付きゴム手袋を使用することにより、マイカーを洗車する大量の水であっても、ゴム手袋表面を伝わって流れる水はゴム手袋のフランジで分水し落水するため衣服の袖口を濡らすことがない効果がある。
また、形状維持リングによりゴム手袋が中空状態にあるため、ゴム手袋内部が濡れても乾燥が早い。
【図面の簡単な説明】
【０００７】
【図１】本発明の斜視図
【図２】本発明の組付けを示す斜視図
【図３】本発明の一部拡大断面図
【図４】本発明のゴム手袋単品図
【図５】本発明の形状維持リング単品図
【図６】本発明の使用説明図
【図７】本発明の実施例を示す斜視図
【図８】本発明の他の実施例を示す側面図
【発明を実施するための形態】
【０００８】以下、本発明を実施するための形態を図１から図８を利用して説明する。
本発明は、図２に示すようにゴム手袋（１）と形状維持リング（２）により構成される。ゴム手袋（１）は、合成樹脂、天然ゴム等を素材にしたもので、手首後方部に全周にわたって滑らかな形状の膨らみ（３）を持つ。
【０００９】ゴム手袋（１）は、陶器等で作られたゴム手袋の型を合成樹脂や天然ゴム等を素材にした液の中に数回浸して型の表面に素材の被膜を作り重ねた後、乾燥させ剥がし取る方法が一般的であるが、複雑な形状を持つものは技術的に製造することが難しいため、図４に示すように滑らかな形状の膨らみ（３）とした。
【００１０】形状維持リング（２）は、プラスチックやゴム等の弾性体のリングで、ゴム手袋に接する断面は円弧の形状を持つ。なお、外形寸法はゴム手袋の滑らかな膨らみ径よりやや大きい。
【００１１】本発明を使用する場合は、図６に示すようにゴム手袋の手首後方部の膨らみに、弾性体の形状維持リングを変形させながら膨らみの内側に挿入して嵌め合わせる。形状維持リングは滑らかな膨らみ径よりやや大きいものであることから、図３に示すようにゴム手袋の膨らみ部分が形状維持リングの形状に沿って立ち上がり全周にわたって密着してフランジが形成され固定する。
形成されたフランジは弾性体の形状維持リングの作用によって外部からの力によりつぶれることはない。
【００１２】該嵌合は、ゴム手袋の膨らんだ頂点に嵌めることが一般的であるが、接着剤等で接合しても良い。また、形状維持リングは真芯円のものでなく、流れ落ちる水を効果的に分水させるために考案された不円形のものでも良い。また、フランジはゴム手袋に対し直角でなく、フランジを分水して流れ落ちる水が身体より遠く離れるように角度をつけた構造であっても良い。
【００１３】本発明の効果について、図７に示すような試験を実施した結果、マイカー洗車等の大量の水使用であってもフランジの高さは１０〜１５ミリ程あれば十分効果があることを実証した。
【００１４】その他の実施形態として、図８に示すようにゴム手袋の手首から指先部を除いた袖カバーがあげられる。洗顔等の時、手から溢れでた水が手首を伝わって袖口を濡らし、腕を伝わって床を汚すことがある。
フランジ付きゴム手袋の手首から指先部を取り除いた形状の袖カバーは、太い腕でも細い腕でも無理なくフィットするよう手首に接する端面に伸縮性を持たせている。
袖カバーを使用することで、手首を伝わる水滴は洗面台の中に落ちるので、今までのように腰を深く曲げなくて洗顔しなくとも済むことから、高齢者にとっても優しい効果が得られる。
【符号の説明】
【００１５】１  ゴム手袋
２  膨らみ
３  形状維持リング
４  フランジ
５  袖カバー
【図１】
2011063918.tif 000003
【図２】
2011063918.tif 000004
【図３】
2011063918.tif 000005
【図４】
2011063918.tif 000006
【図５】
2011063918.tif 000007
【図６】
2011063918.tif 000008
【図７】
2011063918.tif 000009
【図８】
2011063918.tif 000010